(57)【要約】      （修正有）【課題】薄型化で空間を節約でき、両面操作可能なケーブルマネージメントフレームとスライドレール用連結装置を提供する。【解決手段】ケーブルマネージメントフレームとスライドレール用連結装置であり、該装置は連結座２６、嵌着部材２８、挿着部材３０を含む。連結座２６は、ケーブルマネージメントフレームに固定状態で取り付け、通路３６と窓穴３８を含む。嵌着部材２８は連結座２６に固定状態で取り付け、嵌着部材２８は一対の挿入アーム５２を含み、その一対の挿入アーム５２の一方は嵌着部４８に対応する押圧段５６を備える。挿着部材３０を連結座２６の通路内に挿入する時、嵌着部材２８の嵌着部４８と挿入アーム５２の押圧段５６とが押圧し合うため、挿着部材３０は連結座２６上に定位される。【選択図】図２
0003180815.tif 000002
【実用新案登録請求の範囲】
【請求項１】
連結座、嵌着部材、及び挿着部材を含むケーブルマネージメントフレームとスライドレール用連結装置において、
前記連結座はケーブルマネージメントフレームに固定状態で取り付け、連結座は一対の屈曲部と、一対の屈曲部の間に延伸連結する側壁を含み、一対の屈曲部と側壁との共同で通路を形成し、側壁は窓穴を備え、
前記嵌着部材は連結座の側壁に固定し、該嵌着部材は弾力アームと嵌着部とを含み、そのうち、弾力アームは窓穴まで延伸し、
前記挿着部材はスライドレールに固定状態で取り付け、該挿着部材は一対の挿入アームと、一対の挿入アームの間に延伸し連接する本体部とを含み、挿入アームの厚さは連結座の通路幅に対応し挿入できる厚さであり、一対の挿入アームの一方は嵌着部に対応する押圧段を備え、
挿着部材の挿入アームを連結座の通路内に完全に挿入する時、嵌着部材の嵌着部は、挿着部材の本体部と挿入アームの押圧段との間に位置するため、挿着部材は連結座上に保持されて定位することを特徴とするケーブルマネージメントフレームとスライドレール用連結装置。
【請求項２】
前記窓穴はＴ形状の穴であり、拡大孔と、拡大孔の一方側に繋がる狭窄孔とを含み、且つ前記側壁は少なくとも一つのストッパーを含み、該ストッパーは挿着部材を密着押圧することができ、これにより連結座に相対する挿着部材の挿入の深さを制限することを特徴とする請求項１に記載のケーブルマネージメントフレームとスライドレール用連結装置。
【請求項３】
前記嵌着部は弾力アームによって対応する窓穴の拡大孔に延伸することを特徴とする請求項２に記載のケーブルマネージメントフレームとスライドレール用連結装置。
【請求項４】
前記嵌着部は押圧段に対応する突出した制御体を備え、押圧段は制御体を圧して制御する押止端を含み、これにより嵌着部材は挿着部材をロックすることを特徴とする請求項３に記載のケーブルマネージメントフレームとスライドレール用連結装置。
【請求項５】
前記嵌着部は制御体の相対端に位置する屈曲段を備え、屈曲段は挿入アームに対応し、且つ挿入アームは屈曲段をスライドさせて圧する傾斜ガイド面を含むことを特徴とする請求項４に記載のケーブルマネージメントフレームとスライドレール用連結装置。
【請求項６】
前記連結装置には嵌着部材の弾力アームに設置する両面ボタンをさらに含むことを特徴とする請求項１に記載のケーブルマネージメントフレームとスライドレール用連結装置。
【請求項７】
ケーブルマネージメントフレームと、スライドレールと、連結装置とを含むケーブルマネージメントシステムにおいて、
前記ケーブルマネージメントフレームは第一ケーブルマネージメントアームと、第一ケーブルマネージメントアームに枢着する第二ケーブルマネージメントアームとを含み、
前記スライドレールは少なくとも第一レールと、第一レールにスライド可能状態で相対する第二レールとを含み、
連結座と、嵌着部材と、挿着部材とを含む前記連結装置において、
前記連結座はケーブルマネージメントフレームの第一ケーブルマネージメントアームと第二ケーブルマネージメントアームの一方に固定状態で取り付け、該連結座は一対の屈曲部と、一対の屈曲部の間に延伸連結する側壁とを含み、屈曲部と側壁との共同で通路を形成し、側壁は、窓穴を含み、
前記嵌着部材は連結座の側壁に固定状態で取り付け、該嵌着部材は、弾力アームと、少なくとも一つの嵌着部とを含み、そのうち、弾力アームは連結座の窓穴まで延伸し、嵌着部は、弾力アームによって対応する窓穴まで延伸し、且つ該嵌着部には屈曲段を備え、
前記挿着部材はスライドレールの第一レールと第二レールの一方に固定状態で取り付け、該挿着部材は一対の挿入アームと、一対の挿入アームの間に延伸し連接する本体部とを含み、そのうち、一対の挿入アームは連結座の連結座の通路内に挿入でき、且つ一対の挿入アームの一方は押圧段を延伸し、該押圧段は嵌着部に対応する押止端を備え、
挿着部材の挿入アームを連結座の通路に挿入する時、該挿入アームは先ずスライドして屈曲段を圧して嵌着部を支え、さらに、嵌着部に相対する押圧段はスライド移動することにより、嵌着部は継続的に押圧段に支えられ、挿着部材が完全に連結座の通路内に挿入されると、挿着部材の押圧段は嵌着部材の嵌着部を支え押圧することがなくなり、これによって、嵌着部は初期位置に戻って押圧段と押圧し合い、挿入アームが連結座の通路から離脱するのを阻止するため、挿着部材は連結座上に保持されて定位することを特徴とするケーブルマネージメントシステム。
【請求項８】
前記挿入アームは嵌着部の屈曲段に対応する傾斜ガイド面を含むことを特徴とする請求項７に記載のケーブルマネージメントシステム。
【請求項９】
前記側壁は挿着部材に密着して圧する少なくとも一つのストッパーを含み、連結座に相対する挿着部材の挿入の深さを制限することを特徴とする請求項７に記載のケーブルマネージメントシステム。
【請求項１０】
連結座、嵌着部材、及び挿着部材を含む連結装置において、
前記連結座は一対の屈曲部と、一対の屈曲部の間に延伸連結する側壁を含み、一対の屈曲部と側壁との共同で通路を形成し、該側壁は窓穴と少なくとも一つのストッパーを含み、そのうち、窓穴は拡大孔と、拡大孔の一方側に繋がる狭窄孔とを含み、
前記嵌着部材は、連結座の側壁に固定状態で取り付け、該嵌着部材は、弾力アームと、少なくとも一つの嵌着部とを含み、そのうち、弾力アームは窓穴の狭窄孔を経て拡大孔まで延伸し、嵌着部は弾力アームから延伸し且つ拡大孔に対応し、且つ嵌着部は屈曲段を備え、
前記挿着部材は一対の挿入アームと、一対の挿入アームの間に延伸し連接する本体部とを含み、該挿入アームの厚さは連結座の通路幅に対応し挿入できる厚さであり、且つ一対の挿入アームの一方には嵌着部に対応する押圧段を延伸し、そのうち、押圧段は嵌着部に対応する押止端を備え、挿入アームは嵌着部の屈曲段に対応する傾斜ガイド面を備え、
挿着部材の挿入アームを連結座の通路内に挿入する時、嵌着部は押圧段で支えられ、且つ挿着部材は連結座の通路に完全に挿入され、挿入アームがストッパーに押止されると、押圧段は嵌着部材の嵌着部を離れるため、嵌着部材の嵌着部は初期位置に戻り、押圧段の押止端は嵌着部材の嵌着部と押圧し合うことを特徴とする連結装置。
【考案の詳細な説明】
【技術分野】
【０００１】
本考案は、連結装置に係り、特に薄型化で空間を節約でき、両面操作が可能であるという長所を有するケーブルマネージメントフレームとスライドレール用連結装置に関する。
【背景技術】
【０００２】
Doerr氏等によって発明された実用新案文献１の「Reversible cable support arm」は、図７に示す通り、ケーブルサポートアーム（cable support arm 24）をガイドレール（rail）の一端のマウントブラケット（mounting bracket 92）の下部（lower portion 100）に複数のキーホールスロット（keyhole slots 94）及びプランジャー（plunger 98）を備える。前記ケーブルサポートアーム（cable support arm 24）とガイドレール間の連結は主に、プランジャー（plungers  98,  132）を対応物品の穴内に挿入して固定する。
【０００３】
しかし、筐体（chassis）に相対するプランジャー（plungers 98, 132）は、一種の突出物の設置となるため、ラック（rack）内で使用できる筐体の幅空間を縮小し、尚且つケーブルサポートアームをガイドレールから取り外す際に、プランジャーが単一方向での取り外ししかできないため、取り外し方向に制限を受け、特にラック（rack）に相対する筐体（chassis）が閉じた状態の位置にある時から空間の制限を受けて、プランジャーを引っ張り動かしてケーブルサポートアームとガイドレール間の連結関係を解除するのが非常に不便である。
【０００４】
よって、これらの問題を解決するために、さらに良好な設計を提供する必要がある。
【先行技術文献】
【特許文献】
【０００５】
【特許文献１】米国特許第7,473,846号明細書
【考案の概要】
【考案が解決しようとする課題】
【０００６】
本考案は、前述の欠点を解決すべく、双方向方式でケーブルマネージメントフレームとスライドレール間の連結関係を解除するケーブルマネージメントフレームとスライドレール用連結装置を提供する。
【課題を解決するための手段】
【０００７】
本考案の観点に基づいて提供するケーブルマネージメントフレームとスライドレール用連結装置は連結座、嵌着部材、挿着部材を含む。
【０００８】
前記連結座はケーブルマネージメントフレームに固定状態で取り付け、連結座は一対の屈曲部と、一対の屈曲部の間に延伸連結する側壁を含む。一対の屈曲部と側壁との共同で通路を形成し、側壁は窓穴を備える。
【０００９】
前記嵌着部材は連結座の側壁に固定状態で取り付け、該嵌着部材は弾力アームと嵌着部とを含む。そのうち、弾力アームは窓穴まで延伸する。
【００１０】
前記挿着部材はスライドレールに固定状態で取り付け、該挿着部材は一対の挿入アームと、一対の挿入アームの間に延伸し連接する本体部とを含む。そのうち、挿入アームの厚さは連結座の通路幅に対応し挿入できる厚さであり、一対の挿入アームの一方には嵌着部に対応する押圧段を備える。
【００１１】
挿着部材の挿入アームを連結座の通路内に完全に挿入する時、嵌着部材の嵌着部は、挿着部材の本体部と挿入アームの押圧段との間に位置するため、挿着部材は連結座上に保持されて定位する。
【００１２】
最も好ましくは、窓穴はT形状の穴であり、拡大孔と、拡大孔の一方側に繋がる狭窄孔とを含む。また、側壁は、少なくとも一つのストッパーを含む。該ストッパーは挿着部材を密着押圧することができ、これにより連結座に相対する挿着部材の挿入の深さを制限する。
【００１３】
最も好ましくは、前記嵌着部は弾力アームによって対応する窓穴の拡大孔まで延伸する。
【００１４】
最も好ましくは、前記嵌着部には押圧段に対応する突出した制御体を設ける。前記押圧段は押止端を含み、制御体を圧して制御し、これにより嵌着部材は挿着部材をロックする。
【００１５】
最も好ましくは、嵌着部は制御体の相対端に位置する屈曲段を備え、屈曲段は挿入アームに対応し、且つ挿入アームは、屈曲段をスライドさせて圧する傾斜ガイド面を含む。
【００１６】
最も好ましくは、嵌着部材の弾力アームに設置する両面ボタンをさらに含む。
【００１７】
本考案のもう一つの観点に基づいて本考案が提供するケーブルマネージメントシステムはケーブルマネージメントフレームと、スライドレールと、連結装置とを含む。
【００１８】
前記ケーブルマネージメントフレームは第一ケーブルマネージメントアームと、第一ケーブルマネージメントアームに枢着する第二ケーブルマネージメントアームとを含む。
【００１９】
前記スライドレールは少なくとも第一レールと、第一レールにスライド可能状態で相対する第二レールとを設ける。
【００２０】
前記連結装置は連結座と、嵌着部材と、挿着部材とを含む。
【００２１】
前記連結座はケーブルマネージメントフレームの第一ケーブルマネージメントアームと第二ケーブルマネージメントアームの一方に固定状態で取り付ける。また、連結座は一対の屈曲部と、一対の屈曲部の間に延伸連結する側壁とを含み、屈曲部と側壁との共同で通路を形成する。尚、側壁は、窓穴を含む。
【００２２】
前記嵌着部材は連結座の側壁に固定状態で取り付け、該嵌着部材は弾力アームと、少なくとも一つの嵌着部とを含む。そのうち、弾力アームは連結座の窓穴まで延伸し、嵌着部は、弾力アームによって対応する窓穴に延伸し、該嵌着部には屈曲段を備える。
【００２３】
前記挿着部材はスライドレールの第一レールと第二レールの一方に固定状態で取り付け、該挿着部材は、一対の挿入アームと、一対の挿入アームの間に延伸し連接する本体部とを含む。そのうち、一対の挿入アームは連結座の連結座の通路内に挿入でき、且つ一対の挿入アームの一方には押圧段を延伸する。該押圧段は、嵌着部に対応する押止端を備える。
【００２４】
挿着部材の挿入アームを連結座の通路に挿入する時、該挿入アームは先ずスライドして屈曲段を圧して嵌着部を支え、さらに、嵌着部に相対する押圧段はスライド移動することにより、嵌着部は継続的に押圧段に支えられ、挿着部材が完全に連結座の通路内に挿入されると、挿着部材の押圧段は嵌着部材の嵌着部を支え押圧することがなくなり、これによって、嵌着部は初期位置に戻って押圧段と押圧し合い、挿入アームが連結座の通路から離脱するのを阻止するため、挿着部材は連結座上に保持されて定位する。
【００２５】
最も好ましくは、前記挿入アームは嵌着部の屈曲段に対応する傾斜ガイド面を含む。
【００２６】
最も好ましくは、前記側壁は、挿着部材に密着して圧する少なくとも一つのストッパーを含み、連結座に相対する挿着部材の挿入の深さを制限する。
【００２７】
本考案のさらにもう一つの観点に基づいて本考案が提供する連結装置は連結座、嵌着部材、及び挿着部材を含む。
【００２８】
前記連結座は一対の屈曲部と、一対の屈曲部の間に延伸連結する側壁を含み、屈曲部と側壁との共同で通路を形成する。側壁は、窓穴と少なくとも一つのストッパーを含む。そのうち、窓穴は拡大孔と、拡大孔の一方側に繋がる狭窄孔とを含む。
【００２９】
前記嵌着部材は連結座の側壁に固定状態で取り付け、該嵌着部材は弾力アームと、少なくとも一つの嵌着部とを含む。そのうち、弾力アームは窓穴の狭窄孔を経て拡大孔まで延伸し、嵌着部は弾力アームによって対応する拡大孔に延伸し、且つ嵌着部には屈曲段を備える。
【００３０】
前記挿着部材は一対の挿入アームと、一対の挿入アームの間に延伸し連接する本体部とを含み、該挿入アームの厚さは連結座の通路幅に対応し挿入できる厚さであり、尚且つ一対の挿入アームの一方には嵌着部に対応する押圧段を延伸する。そのうち、押圧段は嵌着部に対応する押止端を備え、挿入アームには嵌着部の屈曲段に対応する傾斜ガイド面を備える。
【００３１】
挿着部材の挿入アームを連結座の通路内に挿入する時、嵌着部は押圧段で支えられ、且つ挿着部材は連結座の通路に完全に挿入され、挿入アームがストッパーに押止されると、押圧段は嵌着部材の嵌着部を離れるため、嵌着部材の嵌着部は初期位置に戻り、押圧段の押止端は嵌着部材の嵌着部に対応して圧することができる。
【考案の効果】
【００３２】
本考案のケーブルマネージメントフレームとスライドレール用連結装置は、便利性に富み、特に、連結座の窓穴の任意の一方向を使用者の指で押すことで、ケーブルマネージメントフレームとスライドレール間の連接関係を解除できる。しかも、連結装置全体は、窓穴のくり貫き空間に構成要素を収納するため、構成要素の突き出した体積を縮小し、薄型化の空間節約という効果を有する。
【図面の簡単な説明】
【００３３】
【図１】本考案の実施例をケーブルマネージメントフレームとスライドレールに応用した際の配置図である。
【図２】本考案の実施例の連結装置の立体分解図である。
【図３】本考案の実施例の連結装置の未連結状態の組立立体図である。
【図４】本考案の実施例の挿着部材を連結座に挿入時の動作を示す図（１）である。
【図５】本考案の実施例の挿着部材を連結座に挿入時の動作を示す図（２）である。
【図６】本考案の実施例の挿着部材と嵌着部材の嵌着定位を示す図（１）である。
【図７】本考案の実施例の挿着部材と嵌着部材の嵌着定位を示す図（２）である。
【図８】本考案の実施例の挿着部材と嵌着部材の嵌着定位解除を示す図（１）であり、嵌着部材は図６の状態から第一方向に押圧されて嵌着定位を解除することを示す図である。
【図９】本考案の実施例の挿着部材と嵌着部材の嵌着定位解除を示す図（２）であり、嵌着部材は図６の状態から第二方向に押圧されて嵌着定位を解除することを示す図である。
【考案を実施するための形態】
【００３４】
図１に示すとおり、本考案の実施例のケーブルマネージメントフレーム10とスライドレール12用連結装置14において、ケーブルマネージメントフレーム10は、第一ケーブルマネージメントアーム16と、第一ケーブルマネージメントアーム16に枢着する第二ケーブルマネージメントアーム18を含む。スライドレール12は少なくとも第一レール20と、第一レール20にスライド可能状態で相対する第二レール22とを設ける。最も好ましくは、さらに第三レール24を含み、第一レール20と第二レール22間にスライド可能状態で連結するため、第一レール20に相対する第二レール22は、第三レール24を用いて更に大きな使用ストロークに広げることができる。
【００３５】
図２と図３に示すとおり、連結装置14は連結座26、嵌着部材28、及び挿着部材30を含む。
【００３６】
そのうち、連結座26は、図１を併せて参照すると分かるように、ケーブルマネージメントフレーム10に固定状態で取り付ける。実施例において、最も好ましくは、連結座26をケーブルマネージメントフレーム10の第一ケーブルマネージメントアーム16と第二ケーブルマネージメントアーム18の一方に設置する。連結座26は一対の屈曲部32と、一対の屈曲部32の間に延伸連結する側壁34を含み、屈曲部32と側壁34との共同で通路36を形成する。側壁34は、窓穴38と一つまたは一対のストッパー40を含む。実施例において、窓穴38はT形状の穴とし、窓穴38は、拡大孔42と、拡大孔42の一方側に繋がる狭窄孔44とを含む。
【００３７】
嵌着部材28は連結座26の側壁34に固定状態で取り付け、該嵌着部材28は、弾力アーム46と、一つ或いは一対の嵌着部48とを含む。そのうち、弾力アーム46は連結座26の窓穴38まで延伸する。詳しく説明すると、弾力アーム46は窓穴38の狭窄孔44を経て拡大孔42まで延伸し、嵌着部48は弾力アーム46から延伸し窓穴38の拡大孔42に対応する。実施例において、前記嵌着部48には屈曲段50を備える。
【００３８】
図１を併せて参照すると分かるように、挿着部材30はスライドレール12に固定状態で取り付ける。好ましい実施例において、最も好ましくは、挿着部材30はスライドレール12の第一レール20と第二レール22の一方に設置する。挿着部材30は一対の挿入アーム52と、一対の挿入アーム52の間に延伸し連接する本体部54とを含む。そのうち、挿入アーム52の厚さは連結座26の通路36幅に対応し挿入できる厚さであり、一対の挿入アーム52の一方は嵌着部48に対応する。好ましい実施例において、押圧段56は押止端58を含み、一対の挿入アーム52の一つ或いは全部には傾斜ガイド面60を備え、該傾斜ガイド面60は、嵌着部48の屈曲段50に対応する。好ましい実施例において、嵌着部48には押止端58に対応する突出した制御体62を設ける。前述した屈曲段50は制御体62の相対端に位置し、尚且つ屈曲段50は挿入アーム52或いは傾斜ガイド面60の一方に対応する。並びに、嵌着部材28の弾力アーム46に設置するプラスチック成型の両面ボタン64をさらに含み、使用者は両面のいずれもプッシュすることができる。
【００３９】
図４と図５に示すとおり、挿着部材30の挿入アーム52を連結座26の通路36内に挿入する時、嵌着部材28の嵌着部48の屈曲段50は先ずスライドする挿入アーム52の傾斜ガイド面60によって圧せられ、さらに押圧段56で支えられるため、嵌着部材28の嵌着部48は弾性を有している弾力アーム46によって挿入アーム52の押圧段56を押圧する。挿着部材30がさらに連結座26の通路36を通り嵌着部材28に向かって移動すると同時に、嵌着部48は押圧段56に沿って密着移動し、継続的に支えられ、挿入アーム52の押圧段56が完全に連結座26の通路36に挿入した後は、図６と図７に示すとおりである。
【００４０】
また、嵌着部48が押圧段56を離れて、挿入アーム52の押圧段56が嵌着部材28の嵌着部48を支えなくなると、嵌着部材28の弾力アーム46は弾力を解き放ち、これにより、嵌着部48は初期位置に戻り、且つ押圧段56の押止端58と押圧し合うか、或いは対応する。即ち、連結座26と嵌着部材28が相対して引っ張られて離れる時、嵌着部材28は嵌着部48の制御体62で挿入アーム52の押圧段56の押止端58を制止する。この状態において、嵌着部材28の嵌着部48は、挿着部材30の本体部54と挿入アーム52の押圧段56との間に制限されるため、挿着部材30の挿入アーム52は連結座26の通路36から自在に抜け出せなくなり、これによって挿着部材30は連結座26上に保持されて定位する。
【００４１】
注意すべき点は、本考案が使用者の指の力で先ず嵌着部材28の弾力アーム46の両面ボタン64を押すことにより、挿着部材30の挿入アーム52を連結座26の通路36内に挿入しようとする時、前記嵌着部48の屈曲段50又は前記押圧段56の傾斜ガイド面60の「スライド押圧ガイド作用」を使わずに、挿着部材30をスムーズに連結座26に完全に挿入できる点にある。
【００４２】
好ましい実施例において、連結座26のストッパー40は挿着部材30を密着押圧することができ、これにより連結座26に相対する挿着部材30の挿入の深さを制限し、挿着部材30に相対する嵌着部材28の嵌着部48を予定の嵌着位置に停止させる。
【００４３】
図8及び図9に示すとおり、挿着部材30を連結座26から離脱させたい時は、指で連結座26の任意の一方向の窓穴38位置から嵌着部材28の両面ボタン64を押すと、弾力アーム46は変形し、嵌着部材28の嵌着部48の制御体62は押圧段56の押止端58の制御をやめ、こうして、挿着部材30をスムーズに連結座26から離脱させることができる。
【００４４】
前述したとおり、本考案の提供するケーブルマネージメントフレームとスライドレール間の連接具は便利性に富み、特に、連結座の窓穴の任意の一方向を使用者の指で押すことで、ケーブルマネージメントフレームとスライドレール間の連接関係を解除できる。しかも、連結装置全体は、窓穴のくり貫き空間に構成要素を収納するため、構成要素の突き出した体積を縮小し、薄型化の空間節約効果を有する。
【符号の説明】
【００４５】
10：ケーブルマネージメントフレーム、12：スライドレール、14：連結装置、16：第一ケーブルマネージメントアーム、18：第二ケーブルマネージメントアーム、20：第一レール、22：第二レール、24：第三レール、26：連結座、28：嵌着部材、30：挿着部材、32：屈曲部、34：側壁、36：通路、38：窓穴、40：ストッパー、42：拡大孔、44：狭窄孔、46：弾力アーム、48：嵌着部、50：屈曲段、52：挿入アーム、54：本体部、56：押圧段、58：押止端、60：傾斜ガイド面、62：制御体、64：両面ボタン。
【図１】
0003180815.tif 000003
【図２】
0003180815.tif 000004
【図３】
0003180815.tif 000005
【図４】
0003180815.tif 000006
【図５】
0003180815.tif 000007
【図６】
0003180815.tif 000008
【図７】
0003180815.tif 000009
【図８】
0003180815.tif 000010
【図９】
0003180815.tif 000011